(57)【要約】【課題】本発明は、筐体に着脱自在なパネルを備え、このパネルの取り付け状態におけるロック機構の代わりにワンウェイバルブ機構を備えることで、美観性を損なうことなくユーザがこのパネルを簡単に着脱できる機構を備えた電子機器を提供する。【解決手段】装飾パネル１００を着脱自在に固定するための固定部材を有する筐体１０を備える。前記固定部材は、装飾パネル１００を筐体１０に吸着させる吸盤１４と、吸盤１４の内部の空気が流入する筒部と、筒部の内部で移動可能に設けられるとともに、スプリングの弾性力によって前記筒部を密閉する所定位置に固定されたピストンと、を備える。装飾パネル１００が吸盤１４に吸着されたときに、吸盤１４の内部の空気が筒部に流入したときの空気の圧力によってピストンが移動してこの空気が外部に流出するとともに、ピストンがスプリングの弾性力によって所定位置に戻って再び筒部を密閉することにより、装飾パネルを前記筐体に固定することを特徴とする。【選択図】  図２
2009272670.tif 000002
【特許請求の範囲】
【請求項１】
パネルを着脱自在に固定するための固定部材を有する筐体を備え、
前記固定部材は、
前記パネルを前記筐体に吸着させる吸盤と、
前記吸盤の内部の空気が流入する筒部と、
前記筒部の内部で移動可能に設けられるとともに、スプリングの弾性力によって前記筒部を密閉する所定位置に固定されたピストンと、を備え、
前記パネルが前記吸盤に吸着されたときに、前記吸盤の内部の空気が前記筒部に流入したときの空気の圧力によって前記ピストンが移動してこの空気が外部に流出するとともに、前記ピストンがスプリングの弾性力によって所定位置に戻って再び前記筒部を密閉することにより、前記パネルを前記筐体に固定することを特徴とする電子機器。
【請求項２】
前記固定部材は、前記筒部に対して軸方向に移動可能なレバー部を備え、
前記ピストンは、前記レバー部の移動に伴って前記筒部の内部を移動し、
前記レバー部が移動した際に、前記ピストンもそれに伴って移動し、このときに外部の空気が前記筒部の内部に流入することにより、前記パネルが前記筐体から取り外されることを特徴とする請求項１記載の電子機器。
【請求項３】
前記固定部材は、前記吸盤と前記筒部との間に伸縮自在に設けられたジャバラ部を備え、前記パネルが前記吸盤に吸着された際、前記吸盤の内部の空気を前記ジャバラ部を介して前記筒部に流入させるとともに、このジャバラ部が収縮して内部の空気を前記筒部に流入させ、この空気の圧力によって前記ピストンを移動させることを特徴とする請求項１記載の電子機器。
【請求項４】
前記吸盤及び前記レバー部とが相互に裏表に位置するように、前記固定部材が前記筐体に設けられることを特徴とする請求項１記載の電子機器。
【請求項５】
前記筐体は前記固定部材を複数有し、前記パネルは、これらの複数の固定部材により前記筐体に固定されることを特徴とする請求項１記載の電子機器。
【発明の詳細な説明】
【技術分野】
【０００１】
本発明は、着脱自在なパネルを備え、ユーザが簡単にこのパネルを筐体に対して着脱することができる電子機器に関する。
【背景技術】
【０００２】
近年、携帯電話機等の電子機器を、色とりどりに創作された装飾パネルを筐体に自在に着脱できるように構成することで、ユーザが自ら装飾パネルを選択して携帯電話機に装着することにより携帯電話機の美観性を高めることができるようになってきている。
【０００３】
また、ワンウェイバルブを利用した車両用空気清浄装置が提案されている（特許文献１参照）。この車両用空気清浄装置は、排気口が閉塞されているときに、例えば自動車ドアの急速な閉塞作用で車室内の気圧が高められると、この気圧力によりワンウェイバルブが動作し、通気口が開放されるものである。
【特許文献１】特開平１１−２６８５２９号公報
【発明の開示】
【発明が解決しようとする課題】
【０００４】
携帯電話機等の電子機器の美観性を高めるために筐体に装飾パネルを装着する場合には、携帯電話機に装飾パネルを固定するための何らかのロック機構を設ける必要があるが、従来、このロック機構が筐体の外部に露出していたせいで、携帯電話機の美観性が低下してしまうという問題があった。そこで、携帯電話機等の電子機器について、ワンウェイバルブを利用することにより、美観性を損なわずに装飾パネルを自在に着脱できるように構成することが望ましい。
【０００５】
本発明は、上記課題を鑑みなされてものであり、筐体に着脱自在な装飾パネルを備え、この装飾パネルの取り付け状態におけるロック機構の代わりにワンウェイバルブ機構を備えることで、美観性を損なうことなくユーザがこの装飾パネルを簡単に着脱できる機構を備えた電子機器を提供することを目的とする。
【課題を解決するための手段】
【０００６】
上記課題を解決するために、本発明に係る電子機器はパネルを着脱自在に固定するための固定部材を有する筐体を備え、前記固定部材は、前記パネルを前記筐体に吸着させる吸盤と、前記吸盤の内部の空気が流入する筒部と、前記筒部の内部で移動可能に設けられるとともに、スプリングの弾性力によって前記筒部を密閉する所定位置に固定されたピストンと、を備え、前記パネルが前記吸盤に吸着されたときに、前記吸盤の内部の空気が前記筒部に流入したときの空気の圧力によって前記ピストンが移動してこの空気が外部に流出するとともに、前記ピストンがスプリングの弾性力によって所定位置に戻って再び前記筒部を密閉することにより、前記パネルを前記筐体に固定することを特徴とする。
【発明の効果】
【０００７】
本発明に係る電子機器によると、筐体に着脱自在なパネルを備え、このパネルの取り付け状態におけるロック機構の代わりにワンウェイバルブ機構を備えたことで、美観性を損なうことなくユーザがこのパネルを簡単に着脱できる機構を備えることが可能となる。
【発明を実施するための最良の形態】
【０００８】
〔第１実施形態〕
本発明に係る電子機器の第１実施形態について、図１乃至図８を参照しながら説明する。第１実施形態の電子機器として、複数の筐体が開閉自在に結合されてなるクラムシェル型の携帯電話機１を例にあげて説明する。図１に、携帯電話機１の開いた状態を示す斜視図を示す。また、図２に、図１のＡ部の正面側から見た拡大図を、図３に、図１のＡ部の背面側から見た拡大図を示す。
【０００９】
携帯電話機１は、図１乃至図３に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００１０】
上筐体１０の外面（下筐体１１に対面しない側の面）１０ａには、板状の装飾パネル１００が嵌め込まれる溝部１３が設けられている。この溝部１３の内部は、装飾パネル１００の外形とほぼ同形状に形成されている。
【００１１】
また溝部１３の内底には吸盤１４が設けられている。この吸盤１４は、装飾パネル１００を溝部１３に固定するためのものである。吸盤１４は例えばシリコンゴム等で形成されていて、装飾パネル１００を溝部１３に嵌め込んだ際に、吸盤１４のテーパ部１４ａの内部の空気が外部に流出してテーパ部１４ａの内部の気圧が下がることにより、装飾パネル１００が吸盤１４に吸着して、外部の空気圧によって装飾パネル１００が溝部１３の内部に固定される。
【００１２】
例えば、板状の装飾パネル１００の一辺に爪が設けられているとともに、上筐体１０の溝部１３の一側面に装飾パネル１００の爪が嵌め込まれる孔部が設けられていて、装飾パネル１００が上筐体１０の溝部１３に取り付けられる際に、装飾パネル１００の爪が溝部１３の孔部に嵌め込まれるようにして取り付けられるとともに、装飾パネル１００が吸盤１４で吸着されることにより、装飾パネル１００が上筐体１０に確実に固定される。
【００１３】
上筐体１０の内面（下筐体１１に対面する側の面）１０ｂには、上筐体１０の内面１０ｂを貫通する矩形状の貫通孔であるガイド部１５が設けられている。そして、このガイド部１５を貫通するようにして、装飾パネル１００を上筐体１０から取り外すためのレバー部１６が外部に突出するように設置されている。このレバー部１６は、例えばガイド部１５の短辺の長さとほぼ等しい径の円筒状に形成されていて、ガイド部１５に案内されるように筐体１０の内面１０ｂに沿ってスライドする。
【００１４】
このように、上筐体１０の外面１０ａに装飾パネル１００を装着するための吸盤１４が設けられ、外面１０ａの裏側に位置する内面１０ｂに装飾パネル１００を取り外すためのレバー部１６が設けられることにより、上筐体１０において、装飾パネル１００が装着される側の面の美観性を損なうことがない。
【００１５】
図４は、上筐体１０の外面１０ａを正面から見た図である。図５（Ａ）は、携帯電話機１に装飾パネル１００が装着されていない状態において、上筐体１０の内部に固定部材２０が収納されている様子を図２のＹ方向から見た概念図であり、図５（Ｂ）は、携帯電話機１に装飾パネル１００が装着されていない状態における固定部材２０を示す斜視図、図５（Ｃ）は、携帯電話機１に装飾パネル１００が装着されていない状態において、上筐体１０と装飾パネル１００の様子を図４のＺ方向から見た概念図である。
【００１６】
上筐体１０は、装飾パネル１００を固定するための固定部材２０を備えている。固定部材２０は、図５（Ａ）に示すように、上述した吸盤１４を備えているとともに、例えばアルミニウム等の金属部材により形成された円筒状の筒部２１を備えている。これらの吸盤１４と筒部２１の一方の口とは、例えばシリコンゴム等で蛇腹状に伸縮自在に形成された筒状のジャバラ部２２で接続されている。
【００１７】
ジャバラ部２２は、伸びた状態では上筐体１０から突出しているが、収縮した状態では上筐体１０の内部に完全に収納されるように設けられている。吸盤１４に装飾パネル１００が吸着されたときに、吸盤１４のテーパ部１４ａの内部の空気がジャバラ部２２の内部を通って筒部２１に流出するとともに、装飾パネル１００により上方から押されてジャバラ部２２が収縮し、このジャバラ部２２の内部にあった空気も筒部２１に流出する。
【００１８】
筒部２１の他方の口にはピストン２３が備えられている。ピストン２３は、係止片２３ａを備えていて、ピストン２３が筒部２１の内部をスライドした際、筒部２１の口に設けられた係止片２１ａと、ピストン２３の係止片２３ａとが当接することにより、筒部２１からピストン２３が完全に抜けてしまうのが防止されている。
【００１９】
また、ピストン２３には筒部２１の内部方向に応力を与えるようなスプリング２４が設けられていて、ピストン２３は、通常の状態（スプリング２４に圧力がかかっていない状態）において、筒部２１の内部においてピストン２３が完全に押し込まれた所定位置に位置するように設計されている。筒部２１の内部においてピストン２３が完全に押し込まれた状態では、ピストン２３により筒部２１が完全に密閉され、筒部２１の内部の空気が外部に流出したり外部の空気が筒部２１の内部に流入したりすることが防止されている。
【００２０】
ピストン２３には上述したレバー部１６が設けられていて、このレバー部１６が上筐体１０の表面１０ｂに設けられたガイド部１５を貫通して、上筐体１０の外部に露出している。レバー部１６は、スプリング２４に圧力がかかっていない状態で、ガイド部１５の一方の短辺側に位置していて、ユーザがこのレバー部１６をガイド部１５に沿って移動（スライド）させると、スプリング２４に圧力がかかりスプリング２４が縮んだ状態になるとともに、ピストン２３がレバー部１６の動きに連動して筒部２１の内部を移動する。そして、ピストン２３が所定位置から移動するとピストン２３と筒部２１との間に隙間ができて、筒部２１の内部に空気が流入し、上筐体１０から装飾パネル１００が取り外される。
【００２１】
図５（Ｂ）及び図５（Ｃ）に示すように、上筐体１０の溝部１３に装飾パネル１００が嵌め込まれていない場合には、固定部材２０において、ジャバラ部２２が伸びた状態になっている。また、スプリング２４に圧力がかかっていないため、ピストン２３が筒部２１に完全に押し込まれた所定位置に位置している。固定部材２０において、筒部２１の一方の口はピストン２３により完全に塞がれているが、筒部２１の吸盤１４側の口が塞がれていないため、吸盤１４やジャバラ部２２から筒部２１の内部に空気が流入可能な状態になっている。
【００２２】
図６（Ａ）は、携帯電話機１に装飾パネル１００が嵌め込まれて直ぐの状態において、上筐体１０の内部に固定部材２０が収納されている様子を図２のＹ方向から見た概念図であり、図６（Ｂ）は、携帯電話機１に装飾パネル１００が嵌め込まれて直ぐの状態における固定部材２０を示す斜視図であり、図６（Ｃ）は、携帯電話機１に装飾パネル１００が嵌め込まれて直ぐの状態において、上筐体１０と装飾パネル１００の様子を図４のＺ方向から見た概念図である。
【００２３】
図５（Ａ）乃至図５（Ｃ）に示す状態において、上筐体１０の溝部１３に装飾パネル１００が嵌め込まれると、固定部材２０は、図６（Ａ）乃至図６（Ｃ）に示す状態に変形する。すなわち、図６（Ａ）に示すように、装飾パネル１００が吸盤１４に対して口を塞ぐようにして吸着され、テーパ部１４ａの内部の空気がジャバラ部２２に流出する。また、上筐体１０の溝部１３に装飾パネル１００が嵌め込まれる際に、ジャバラ部２２が押さえ込まれて収縮し、同時に、ジャバラ部２２の内部の空気が筒部２１に流出する。
【００２４】
筒部２１にジャバラ部２２から空気が一気に流入すると、この空気の圧力がピストン２３を押圧してスプリング２４に圧力が加わり、スプリング２４が縮んでピストン２３が筒部２１の内部を移動し、ピストン２３と筒部２１との隙間から筒部２３の内部の空気が外部に流出する。
【００２５】
また、図６（Ｂ）及び図６（Ｃ）に示すように、上筐体１０の溝部１３に装飾パネル１００が嵌め込まれて直ぐの状態では、固定部材２０において、ジャバラ部２２が収縮した状態になっている。また、スプリング２４に圧力がかかって、ピストン２３が筒部２１の内部で移動して筒部２１が完全に密閉されていない状態になっている。固定部材２０において、吸盤１４のテーパ部１４ａの側の口が装飾パネル１００によって完全に塞がっているが、筒部２１の一方の口がピストン２３により完全に塞がれていないため、ピストン２３と筒部２１との隙間から筒部２１の内部の空気が流出可能な状態になっている。
【００２６】
図７（Ａ）は、携帯電話機１に装飾パネル１００が装着されている状態において、上筐体１０の内部に固定部材２０が収納されている様子を図２のＹ方向から見た概念図であり、図７（Ｂ）は、携帯電話機１に装飾パネル１００が装着されている状態における固定部材２０を示す斜視図であり、図７（Ｃ）は、携帯電話機１に装飾パネル１００が装着されている状態において、上筐体１０と装飾パネル１００の様子を図４のＺ方向から見た概念図である。
【００２７】
図７（Ａ）に示すように、吸盤１４やジャバラ部２２、筒部２１から外部に流出する空気の圧力がピストン２３を押圧する力が、スプリング２４の弾性力よりも小さくなると、収縮しているスプリング２４が元に戻ろうとする弾性力により、ピストン２３が筒部２１の内部に完全に押し込まれた所定位置に移動する。
【００２８】
この状態では、図７（Ｂ）及び図７（Ｃ）に示すように、上筐体１０の溝部１３に装飾パネル１００が嵌め込まれている場合には、固定部材２０において、ジャバラ部２２が完全に収縮した状態になっている。また、スプリング２４に圧力がかかっていないため、ピストン２３が筒部２１に完全に押し込まれた状態になっている。固定部材２０において、筒部２１の一方の口がピストン２３により完全に塞がれているとともに、吸盤１４のテーパ部１４ａの側の口が装飾パネル１００により完全に塞がれているため、筒部２１の内部は密閉された状態になっている。また、装飾パネル１００を上筐体１０に装着する際に筒部２１の内部の空気が外部に流出したため、筒部２１の内部の気圧が下がり、外部の空気圧によって装飾パネル１００は固定部材２０の吸盤１４に吸着される。よって、ユーザは、装飾パネル１００を上筐体１０に固定させた状態で携帯電話機１を保持することができる。なお、ピストン２３も、筒部２１の内部の気圧が下がったことによる引き込み力とスプリング２４の弾性力とが合わさることで、所定位置に移動する。
【００２９】
図８（Ａ）は、携帯電話機１から装飾パネル１００が取り外される状態において、上筐体１０の内部に固定部材２０が収納されている様子を図２のＹ方向から見た概念図であり、図８（Ｂ）は、携帯電話機１から装飾パネル１００が取り外される状態における固定部材２０を示す斜視図であり、図８（Ｃ）は、携帯電話機１から装飾パネル１００が取り外される状態において、上筐体１０と装飾パネル１００の様子を図４のＺ方向から見た概念図である。
【００３０】
図８（Ａ）に示すように、ユーザによりレバー部１６が移動されると、ピストン２３と筒部２１との間に隙間ができて、筒部２１の内部に外部の空気が流入する。筒部２１の内部に流入した空気は、そのままジャバラ部２２に流入し、ジャバラ部２２の内部の空気が増大すると、装飾パネル１００により上から押さえつけられていたジャバラ部２２の反力が強くなり、ジャバラ部２２が伸びた状態に変形する。
【００３１】
そして、筒部２１の内部に外部の空気が流入することにより筒部２１の内部の気圧が外部の空気圧と等しくなり、吸盤１４が装飾パネル１００を吸着する力が働かなくなり、装飾パネル１００が固定部材２０から取り外される。
【００３２】
図８（Ｂ）及び図８（Ｃ）に示すように、レバー部１６が移動され携帯電話機１から装飾パネル１００が取り外される状態では、固定部材２０において、ジャバラ部２２が伸びた状態になっている。また、ユーザによりスプリング２４に圧力がかかって、ピストン２３が筒部２１の内部で移動して筒部２１が完全に密閉されていない状態になっている。固定部材２０において、吸盤１４のテーパ部１４ａの側の口が装飾パネル１００によって塞がっているが、筒部２１の一方の口がピストン２３により完全に塞がれていないため、ピストン２３と筒部２１との隙間から外部の空気が筒部２１の内部に流出可能な状態になっている。
【００３３】
また、空気圧によってジャバラ部２２が伸びることによって、図８（Ｃ）に示すように、装着されていた装飾パネル１００がジャバラ部２２によって上方に持ち上げられる。これにより、ユーザは簡単に装飾パネル１００を上筐体１０の溝部１３から取り外すことができる。
【００３４】
このようにして携帯電話機１では、装飾パネル１００を上筐体１０に固定する際、吸盤１４によって装飾パネル１００を上筐体１０に吸着させ、ジャバラ部２２の伸縮性と、筒部２１やピストン２３からなるワンウェイバルブ機構による空気圧とにより、装飾パネル１００を上筐体１０に吸着させる。また、装飾パネル１００を上筐体１０から取り外す際には、ワンウェイバルブ機構のレバー部１６を引くことで、空気圧による拘束を解き、ジャバラ部２２の伸びによって装飾パネル１００を上筐体１０から押し出す機構になっている。
【００３５】
第１実施形態によると、筐体に着脱自在な装飾パネルを備え、この装飾パネルの取り付け状態におけるロック機構をなくし、代わりにワンウェイバルブ機構を備えたことで、美観性を損なうことなくユーザがこの装飾パネルを簡単に着脱できる機構を備えることが可能となる。
【００３６】
〔第２実施形態〕
本発明に係る電子機器の第２実施形態について、図９乃至図１２を参照しながら説明する。第２実施形態の電子機器として、複数の筐体が開閉自在に結合されてなるクラムシェル型の携帯電話機１Ａ（図１に示す携帯電話機１Ａ）を例にあげて説明する。以下、第１実施形態と同一の構成には同一の符号を付し、重複する説明を省略する。
【００３７】
第２実施形態の携帯電話機１Ａは、第１実施形態の携帯電話機１と同様に、図１乃至図３に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１のＸ方向に所定角度だけ回転自在なように形成されている。携帯電話機１は、上筐体１０を下筐体１１に対して回転させることにより、閉じた状態から開いた状態に、あるいは開いた状態から閉じた状態に変形する。
【００３８】
上筐体１０の外面１０ａには、装飾パネル１００が嵌め込まれる溝部１３が設けられている。この溝部１３の内部は、装飾パネル１００の外形とほぼ同形状に形成されていて、溝部１３に装飾パネル１００を嵌めこんだ際に、装飾パネル１００は溝部１３の内部に確実に収納される。また溝部１３の内底には、装飾パネル１００を吸着するための吸盤１４Ａが設けられている。
【００３９】
上筐体１０の内面１０ｂには、上筐体１０の内外を貫通する矩形状の貫通孔であるガイド部１５が設けられている。このガイド部１５を貫通するようにして、装飾パネル１００を取り外すためのレバー部１６が外部に突出するように設置されている。そして、このレバー部１６は、例えばガイド部１５の短辺の長さとほぼ等しい径の円筒状に形成されていて、ガイド部１５に案内されるように上筐体１０の内面１０ｂに沿ってスライドする。
【００４０】
図９（Ａ）は、携帯電話機１Ａに装飾パネル１００が装着されていない状態において、上筐体１０の内部に固定部材２０Ａが収納されている様子を図２のＹ方向から見た概念図であり、図９（Ｂ）は、携帯電話機１Ａに装飾パネル１００が装着されていない状態における固定部材２０Ａを示す斜視図、図９（Ｃ）は、携帯電話機１Ａに装飾パネル１００が装着されていない状態において、上筐体１０と装飾パネル１００の様子を図４のＺ方向から見た概念図である。
【００４１】
固定部材２０Ａは、上述した吸盤１４Ａを備えているとともに、円筒状の筒部２１を備えている。これらの吸盤１４Ａと筒部２１の一方の口とは筒状の接続部２５で接続されている。吸盤１４Ａのテーパ部１４ｂの内部の空気は、吸盤１４に装飾パネル１００が吸着されたときに、接続部２５の内部を通って筒部２１の内部に流出する。
【００４２】
なお、第２実施形態の固定部材２０Ａは、第１実施形態の固定部材２０と異なっていて、伸長することにより内部に多くの空気を溜め込むことができるジャバラ部２２を備えていないが、その分、吸盤１４Ａのテーパ部１４ｂを、内部に多くの空気を溜められるように大きく形成することにより、吸盤１４Ａの吸着力を高めている。また吸盤１４Ａのテーパ部１４ｂは、装飾パネル１００が吸着されていない状態においてはテーパ状の形状をなしているため上筐体１０から突出しているが、装飾パネル１００が吸着されることにより内部の気圧が下がり、テーパ部１４ｂがシート状に変形することで上筐体１０の内部に収納されるように設けられている。
【００４３】
筒部２１の他方の口にはピストン２３が備えられている。ピストン２３は係止片２３ａを備えていて、ピストン２３が筒部２１の内部をスライドした際、筒部２１の口に設けられた係止片３１ａと、ピストン２３の係止片２３ａとが当接することにより、筒部２１からピストン２３が完全に抜けてしまうのが防止されている。
【００４４】
また、ピストン２３には筒部２１の内部方向に応力を与えるようなスプリング２４が設けられていて、ピストン２３は、通常の状態（スプリング２４に圧力がかかっていない状態）において、ピストン２３が筒部２１に完全に押し込まれた所定位置に位置するように設計されている。ピストン２３が筒部２１に完全に押し込まれた状態では、筒部２１の口が完全に塞がれ、ピストン２３と筒部２１との間の隙間から筒部２１の内部に外部の空気が流入したり筒部２１の内部の空気が外部に流出したりすることが防止される。
【００４５】
ピストン２３には上述したレバー部１６が設けられていて、このレバー部１６が上筐体１０の表面１０ｂに設けられたガイド部１５を貫通して、上筐体１０の外部に露出している。レバー部１６は、スプリング２４に圧力がかかっていない状態でガイド部１５の一方の短辺側に位置していて、ユーザがこのレバー部１６をガイド部１５に沿ってスライドさせると、スプリング２４に圧力がかかりスプリング２４が縮んだ状態になる。そして、ピストン２３がレバー部１６の動きに連動して移動し、ピストン２３と筒部２１との間に隙間ができて、外部の空気が筒部２１の内部に流入したり筒部２１の内部の空気が外部に流出したりする。
【００４６】
図９（Ｂ）及び図９（Ｃ）に示すように、上筐体１０の溝部１３に装飾パネル１００が嵌め込まれていない場合には、固定部材２０Ａにおいて、吸盤１４Ａのテーパ部１４ｂがテーパ状になっている。また、スプリング２４に圧力がかかっていないため、ピストン２３が筒部２１に完全に押し込まれた状態になっている。固定部材２０Ａにおいて、筒部２１の一方の口はピストン２３により完全に塞がれているが、吸盤１４Ａの側の口が塞がっていないため、吸盤１４やジャバラ部２２から筒部２１の内部に空気が流入可能な状態になっている。
【００４７】
図１０（Ａ）は、携帯電話機１Ａに装飾パネル１００が嵌め込まれて直ぐの状態において、上筐体１０の内部に固定部材２０Ａが収納されている様子を図２のＹ方向から見た概念図であり、図１０（Ｂ）は、携帯電話機１Ａに装飾パネル１００が嵌め込まれて直ぐの状態における固定部材２０Ａを示す斜視図であり、図１０（Ｃ）は、携帯電話機１Ａに装飾パネル１００が嵌め込まれて直ぐの状態において、上筐体１０と装飾パネル１００の様子を図４のＺ方向から見た概念図である。
【００４８】
図９（Ａ）乃至図９（Ｃ）に示す状態において、上筐体１０の溝部１３に装飾パネル１００が嵌め込まれると、固定部材２０Ａは、図１０（Ａ）乃至図１０（Ｃ）に示す状態に変形する。すなわち、図１０（Ａ）に示すように、装飾パネル１００が吸盤１４Ａに対して口を塞ぐようにして吸着され、テーパ部１４ｂの内部の空気が接続部２５に流出する。このとき、テーパ部１４ｂの内部の気圧が下がるため、テーパ部１４ｂはシート状に変形する。また、接続部２５の内部の空気が筒部２１に流出する。
【００４９】
筒部２１に接続部２５から空気が一気に流入すると、この空気の圧力がピストン２３を押圧してスプリング２４に圧力が加わり、スプリング２３が縮んでピストン２３が筒部２１の内部を移動し、ピストン２３と筒部２１との隙間から筒部２３の内部の空気が外部に流出する。
【００５０】
図１０（Ｂ）及び図１０（Ｃ）に示すように、上筐体１０の溝部１３に装飾パネル１００が嵌め込まれて直ぐの状態では、固定部材２０Ａにおいて、吸盤１４Ａのテーパ部１４ｂの内部の気圧が下がった状態になっている。また、スプリング２４に圧力がかかってスプリング２４が縮むと、ピストン２３が筒部２１の内部で移動してピストン２３と筒部２１との間に隙間ができた状態になっている。固定部材２０において、吸盤１４Ａのテーパ部１４ｂの側の口が装飾パネル１００によって完全に塞がっているが、筒部２１の一方の口がピストン２３により完全に塞がれていないため、ピストン２３と筒部２１との隙間から筒部２１の内部の空気が流出可能な状態になっている。
【００５１】
図１１（Ａ）は、携帯電話機１Ａに装飾パネル１００が装着されている状態において、上筐体１０の内部に固定部材２０Ａが収納されている様子を図２のＹ方向から見た概念図であり、図７（Ｂ）は、携帯電話機１Ａに装飾パネル１００が装着されている状態における固定部材２０Ａを示す斜視図であり、図７（Ｃ）は、携帯電話機１Ａに装飾パネル１００が装着されている状態において、上筐体１０と装飾パネル１００の様子を図４のＺ方向から見た概念図である。
【００５２】
図１１（Ａ）に示すように、吸盤１４や接続部２５、筒部２１から外部に流出する空気の圧力がピストン２３を押圧する力が、スプリング２４の弾性力よりも小さくなると、収縮しているスプリング２４が元に戻ろうとする弾性力により、ピストン２３が筒部２１の内部に完全に押し込まれた所定位置に移動する。
【００５３】
この状態では、図１１（Ｂ）及び図１１（Ｃ）に示すように、上筐体１０の溝部１３に装飾パネル１００が嵌め込まれている場合には、固定部材２０Ａにおいて、吸盤１４Ａのテーパ部１４ｂの内部の気圧が下がり、テーパ部１４ｂがシート状に変形している。また、スプリング２４に圧力がかかっていないため、ピストン２３が筒部２１に完全に押し込まれた状態になっている。
【００５４】
固定部材２０Ａにおいて、筒部２１の一方の口がピストン２３により完全に塞がれているとともに、吸盤１４Ａのテーパ部１４ｂの側の口が装飾パネル１００により完全に塞がれているため、筒部２１の内部は密閉された状態になっている。また、装飾パネル１００を上筐体１０に装着する際に筒部２１の内部の空気が外部に流出したため、筒部２１の内部の気圧が下がり、外部の空気圧によって装飾パネル１００は固定部材２０Ａの吸盤１４Ａに吸着される。よって、ユーザは、装飾パネル１００を上筐体１０に固定させた状態で携帯電話機１Ａを保持することができる。
【００５５】
図１２（Ａ）は、携帯電話機１Ａから装飾パネル１００が取り外される状態において、上筐体１０の内部に固定部材２０Ａが収納されている様子を図２のＹ方向から見た概念図であり、図１２（Ｂ）は、携帯電話機１Ａから装飾パネル１００が取り外される状態における固定部材２０Ａを示す斜視図であり、図１２（Ｃ）は、携帯電話機１Ａから装飾パネル１００が取り外される状態において、上筐体１０と装飾パネル１００の様子を図４のＺ方向から見た概念図である。
【００５６】
図１２（Ａ）に示すように、ユーザによりレバー部１６が移動されると、ピストン２３と筒部２１との間に隙間ができて、筒部２１の内部に外部の空気が流入する。筒部２１の内部に流入した空気は、そのまま接続部２５、吸盤１４Ａのテーパ部１４ｂに流入する。そして、筒部２１の内部に外部の空気が流入することにより筒部２１の内部の気圧が外部の空気圧と等しくなり、吸盤１４Ａが装飾パネル１００を吸着する力が働かなくなり、装飾パネル１００が固定部材２０Ａから取り外される。
【００５７】
図１２（Ｂ）及び図１２（Ｃ）に示すように、レバー部１６が移動され携帯電話機１から装飾パネル１００が取り外される状態では、固定部材２０Ａにおいて、吸盤１４Ａのテーパ部１４ｂがテーパ状の形状に戻った状態になっている。また、ユーザによりスプリング２４に圧力がかかってスプリング２４が縮むことによりピストン２３が筒部２１の内部で移動し、筒部２１が完全に密閉されていない状態になっている。固定部材２０Ａにおいて、吸盤１４Ａのテーパ部１４ｂの側の口が装飾パネル１００によって塞がっているが、筒部２１の一方の口がピストン２３により完全に塞がれていないため、ピストン２３と筒部２１との隙間から外部の空気が筒部２１の内部に流出可能な状態になっている。
【００５８】
また、シート状に変形していた吸盤１４Ａのテーパ部１４ｂにおいて、内部に空気が流入し、吸盤１４Ａのテーパ部１４ｂがテーパ状の形状に戻ることによって、図１２（Ｃ）に示すように、装着されていた装飾パネル１００が上方に持ち上げられる。これにより、ユーザは簡単に装飾パネル１００を上筐体１０の溝部１３から取り外すことができる。
【００５９】
このようにして携帯電話機１Ａでは、装飾パネル１００を上筐体１０に取り付ける際、吸盤１４Ａによって装飾パネル１００を上筐体１０に吸着させ、吸盤１４Ａのテーパ部１４ｂの伸縮性と、筒部２１やピストン２３からなるワンウェイバルブ機構による空気圧とにより、装飾パネル１００を上筐体１０に密着させる。また、装飾パネル１００を上筐体１０から取り外す際には、ワンウェイバルブ機構のレバー部１６を引くことで、空気圧による拘束を解き、吸盤１４Ａのテーパ部１４ｂの変形によって装飾パネル１００を上筐体１０から押し出す機構になっている。
【００６０】
第２実施形態によると、筐体に着脱自在な装飾パネルを備え、この装飾パネルの取り付け状態におけるロック機構をなくし、代わりにワンウェイバルブ機構を備えたことで、美観性を損なうことなくユーザがこの装飾パネルを簡単に着脱できる機構を備えることが可能となる。
【００６１】
なお、第１実施形態及び第２実施形態では、上筐体１０に一つのワンウェイバルブ機構（固定部材２０、２０Ａ）を備えている例について説明したが、これに限らず、複数のワンウェイバルブ機構を備え、複数のワンウェイバルブ機構により装飾パネル１００を上筐体１０に固定するように構成しても良い。これにより、装飾パネル１００に爪を設けることなく、この装飾パネル１００を上筐体１０の溝部１３に確実に固定することが可能となる。
【００６２】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯ゲーム機、携帯テレビ等、携帯音楽プレイヤー等、装飾パネルを着脱可能な電子機器であれば、任意の電子機器であって良い。
【図面の簡単な説明】
【００６３】
【図１】本発明に係る電子機器（携帯電話機）を示す斜視図。
【図２】図１のＡ部を正面側から見た拡大斜視図。
【図３】図１のＡ部を背面側から見た拡大斜視図。
【図４】本発明に係る電子機器（携帯電話機）の上筐体の正面図。
【図５】（Ａ）は、第１実施形態の携帯電話機に装飾パネルが装着されていない状態において、上筐体の内部に固定部材が収納されている様子を図２のＹ方向から見た概念図、（Ｂ）は、第１実施形態の携帯電話機に装飾パネルが装着されていない状態における固定部材を示す斜視図、（Ｃ）は、第１実施形態の携帯電話機に装飾パネルが装着されていない状態において、上筐体と装飾パネルの様子を図４のＺ方向から見た概念図。
【図６】（Ａ）は、第１実施形態の携帯電話機に装飾パネルが嵌め込まれて直ぐの状態において、上筐体の内部に固定部材が収納されている様子を図２のＹ方向から見た概念図、（Ｂ）は、第１実施形態の携帯電話機に装飾パネルが嵌め込まれて直ぐの状態における固定部材を示す斜視図、（Ｃ）は、第１実施形態の携帯電話機に装飾パネルが嵌め込まれて直ぐの状態において、上筐体と装飾パネルの様子を図４のＺ方向から見た概念図。
【図７】（Ａ）は、第１実施形態の携帯電話機に装飾パネルが装着されている状態において、上筐体の内部に固定部材が収納されている様子を図２のＹ方向から見た概念図、（Ｂ）は、第１実施形態の携帯電話機に装飾パネルが装着されている状態における固定部材を示す斜視図、（Ｃ）は、第１実施形態の携帯電話機に装飾パネルが装着されている状態において、上筐体と装飾パネルの様子を図４のＺ方向から見た概念図。
【図８】（Ａ）は、第１実施形態の携帯電話機から装飾パネルが取り外される状態において、上筐体の内部に固定部材が収納されている様子を図２のＹ方向から見た概念図、（Ｂ）は、第１実施形態の携帯電話機から装飾パネルが取り外される状態における固定部材を示す斜視図、（Ｃ）は、第１実施形態の携帯電話機から装飾パネルが取り外される状態において、上筐体と装飾パネルの様子を図４のＺ方向から見た概念図。
【図９】（Ａ）は、第２実施形態の携帯電話機に装飾パネルが装着されていない状態において、上筐体の内部に固定部材が収納されている様子を図２のＹ方向から見た概念図、（Ｂ）は、第２実施形態の携帯電話機に装飾パネルが装着されていない状態における固定部材を示す斜視図、（Ｃ）は、第２実施形態の携帯電話機に装飾パネルが装着されていない状態において、上筐体と装飾パネルの様子を図４のＺ方向から見た概念図。
【図１０】（Ａ）は、第２実施形態の携帯電話機に装飾パネルが嵌め込まれて直ぐの状態において、上筐体の内部に固定部材が収納されている様子を図２のＹ方向から見た概念図、（Ｂ）は、第２実施形態の携帯電話機に装飾パネルが嵌め込まれて直ぐの状態における固定部材を示す斜視図、（Ｃ）は、第２実施形態の携帯電話機に装飾パネルが嵌め込まれて直ぐの状態において、上筐体と装飾パネルの様子を図４のＺ方向から見た概念図。
【図１１】（Ａ）は、第２実施形態の携帯電話機に装飾パネルが装着されている状態において、上筐体の内部に固定部材が収納されている様子を図２のＹ方向から見た概念図、（Ｂ）は、第２実施形態の携帯電話機に装飾パネルが装着されている状態における固定部材を示す斜視図、（Ｃ）は、第２実施形態の携帯電話機に装飾パネルが装着されている状態において、上筐体と装飾パネルの様子を図４のＺ方向から見た概念図。
【図１２】（Ａ）は、第２実施形態の携帯電話機から装飾パネルが取り外される状態において、上筐体の内部に固定部材が収納されている様子を図２のＹ方向から見た概念図、（Ｂ）は、第２実施形態の携帯電話機から装飾パネルが取り外される状態における固定部材を示す斜視図、（Ｃ）は、第２実施形態の携帯電話機から装飾パネルが取り外される状態において、上筐体と装飾パネルの様子を図４のＺ方向から見た概念図。
【符号の説明】
【００６４】
１、１Ａ…携帯電話機，１０…上筐体，１０ａ…上筐体の外面，１０ｂ…上筐体の内面，１１…下筐体，１２…ヒンジ部，１３…溝部，１４、１４Ａ…吸盤，１４ａ、１４ｂ…テーパ部，１５…ガイド部，１６…レバー部，２０、２０Ａ…固定部材，２１…筒部，２２…ジャバラ部，２３…ピストン，２４…スプリング，２５…接続部。
【図１】
2009272670.tif 000003
【図２】
2009272670.tif 000004
【図３】
2009272670.tif 000005
【図４】
2009272670.tif 000006
【図５】
2009272670.tif 000007
【図６】
2009272670.tif 000008
【図７】
2009272670.tif 000009
【図８】
2009272670.tif 000010
【図９】
2009272670.tif 000011
【図１０】
2009272670.tif 000012
【図１１】
2009272670.tif 000013
【図１２】
2009272670.tif 000014